(57)【要約】【課題】ボタン押下により確実にスイッチ本体を押下することが可能なスイッチを提供すること。【解決手段】基板に実装され、押下されることで作動するスイッチ本体と、押圧されて変位する片持ち梁状の支持部の先端部に保持されて前記スイッチ本体に対向する位置に設けられ、前記支持部の先端部が前記スイッチ本体の方向に押圧された時に、前記支持部と共に変位して前記スイッチ本体を押下するスイッチ押下部と、を有し、前記スイッチ押下部は、前記基板に平行な断面が十字形のリブと前記リブのそれぞれの間から周囲に突出する補助リブとを有する形状の柱状部材であり、前記スイッチ本体を押下する押下面において、前記リブの各先端部に前記スイッチ本体の方向に突出する突起部を有するスイッチ。【選択図】図４
2014063646.tif 000002
【特許請求の範囲】
【請求項１】
基板に実装され、押下されることで作動するスイッチ本体と、
押圧されて変位する片持ち梁状の支持部の先端部に保持されて前記スイッチ本体に対向する位置に設けられ、前記支持部の先端部が前記スイッチ本体の方向に押圧された時に、前記支持部と共に変位して前記スイッチ本体を押下するスイッチ押下部と、
を有し、
前記スイッチ押下部は、
前記基板に平行な断面が十字形のリブを有する形状の柱状部材であり、
前記スイッチ本体を押下する押下面において、前記リブの各先端部に前記スイッチ本体の方向に突出する突起部を有する
ことを特徴とするスイッチ。
【請求項２】
前記リブは、前記基板に平行な断面において、中心から突出して十字形を形成する部分が前記支持部の長手方向に対して平行方向及び直交方向にそれぞれ設けられている
ことを特徴とする請求項１に記載のスイッチ。
【請求項３】
前記リブのそれぞれの間から周囲に突出する補助リブをさらに有し、
前記補助リブは、前記基板に平行な断面において、前記突起部の外周を直線で結ぶ領域内に設けられている
ことを特徴とする請求項１又は２に記載のスイッチ。
【請求項４】
前記突起部は、前記スイッチ本体側の面が円形である
ことを特徴とする請求項１から３の何れか一項に記載のスイッチ。
【請求項５】
前記基板は、前記基板及び前記スイッチ押下部を覆うケースに設けられている表示部に向けて光を照射する発光部を有し、
前記スイッチ押下部は、前記発光部からの光を前記表示部に導く導光部材を固定し、且つ、前記発光部からの光を前記表示部以外に対して遮光する遮光部を有する
ことを特徴とする請求項１から４の何れか一項に記載のスイッチ。
【請求項６】
請求項１から５の何れか一項に記載のスイッチを有することを特徴とする電子機器。
【発明の詳細な説明】
【技術分野】
【０００１】
本発明は、スイッチ及び電子機器に関する。
【背景技術】
【０００２】
ケースに設けられている押しボタンを押下すると、押しボタンのケース内側に付随する柱状のスイッチ押下部が、ケース内部の基板上に設けられているスイッチ本体を押下することで作動するスイッチを有する電子機器がある。
【０００３】
上記したスイッチにおいて、スイッチ押下部が押圧される押しボタンと共に変位する様に、片持ち梁の先端に押しボタン及びスイッチ押下部を有する構成が実用化されている。スイッチ押下部が片持ち梁で支持されている場合には、押圧された時にスイッチ押下部は押しボタンと共に回動する様に変位してスイッチ本体を押下する。すなわち、スイッチ押下部は、スイッチ本体に対して垂直方向に変位するのではなく、片持ち梁の固定端側を中心に円を描く様に変位してスイッチ本体を押下する。
【０００４】
この様な構成において、スイッチ押下部と一体に設けられている押しボタンが押圧される方向によっては、スイッチ押下部がスイッチ本体から脱落し、スイッチ本体が押下されず作動しない場合がある。また、スイッチ押下部がスイッチ本体から脱落すると、スイッチ押下部がスイッチ本体に引っ掛かかることにより元の位置に復帰できなくなる場合がある。
【０００５】
そこで、スイッチ押下部に移動方向をガイドするガイド板を設けることで、スイッチ押下部の脱落等を防止する押釦スイッチ装置が提案されている（例えば、特許文献１参照）。
【先行技術文献】
【特許文献】
【０００６】
【特許文献１】特開平１−２３２６２５号公報
【発明の概要】
【発明が解決しようとする課題】
【０００７】
しかしながら、上記した特許文献１におけるガイド板はスイッチ押下部とは別部品で構成されており、部品点数が増加するためコスト増を招くと共に構成が複雑化することにより生産性が低下する可能性がある。
【０００８】
本発明は上記に鑑みてなされたものであって、ボタン押下により確実にスイッチ本体を押下することが可能なスイッチを提供することを目的とする。
【課題を解決するための手段】
【０００９】
本発明の一態様のスイッチによれば、
基板（４）に実装され、押下されることで作動するスイッチ本体（４１）と、
押圧されて変位する片持ち梁状の支持部（３３）の先端部に保持されて前記スイッチ本体（４１）に対向する位置に設けられ、前記支持部（３３）の先端部が前記スイッチ本体（４１）の方向に押圧された時に、前記支持部（３３）と共に変位して前記スイッチ本体（４１）を押下するスイッチ押下部（３２）と、
を有し、
前記スイッチ押下部（３２）は、
前記基板（４）に平行な断面が十字形のリブ（３２１）と前記リブ（３２１）のそれぞれの間から周囲に突出する補助リブ（３２２）とを有する形状の柱状部材であり、
前記スイッチ本体（４１）を押下する押下面において、前記リブ（３２１）の各先端部に前記スイッチ本体（４１）の方向に突出する突起部（３２３）を有する。
【００１０】
なお、上記参照符号は、あくまでも参考であり、これによって特許請求の範囲の記載が限定されるものではない。
【発明の効果】
【００１１】
本発明の実施形態によれば、ボタン押下により確実にスイッチ本体を押下することが可能なスイッチを提供できる。
【図面の簡単な説明】
【００１２】
【図１】実施形態に係る電子機器を例示する斜視図である。
【図２】実施形態に係る電子機器を例示する分解斜視図である。
【図３】実施形態に係る電子機器を例示する他の方向からの分解斜視図である。
【図４】実施形態に係るスイッチ操作部を例示する斜視図である。
【図５】実施形態に係るスイッチ操作部を例示する上面図である。
【図６】実施形態に係るスイッチ操作部を例示する下面図である。
【図７】実施形態に係るスイッチ操作部の動作を説明するための図である。
【図８】実施形態に係るスイッチ押下部の下面図である。
【発明を実施するための形態】
【００１３】
以下、図面を参照して発明を実施するための形態について説明する。各図面において、同一構成部分には同一符号を付し、重複した説明を省略する場合がある。
【００１４】
以下では、本実施形態に係る電子機器１００として、電力線を通信回線として利用する技術ＰＬＣ（Ｐｏｗｅｒ  Ｌｉｎｅ  Ｃｏｍｍｕｎｉｃａｔｉｏｎ）を実現可能にする電力線通信アダプタ装置を例に説明する。
【００１５】
＜電子機器の構成＞
図１は、実施形態に係る電子機器１００を例示する図であり、図１（ａ）及び（ｂ）はそれぞれ異なる方向からの斜視図である。また、図２及び図３は、それぞれ実施形態に係る電子機器１００を例示する異なる方向からの分解斜視図である。なお、図中に示すＸ方向は電子機器１００の幅方向、Ｙ方向は奥行き方向、Ｚ方向は高さ方向を示す。
【００１６】
図１に示す様に、電子機器１００は、上ケース１、下ケース２を有する。また、図２及び図３に示す様に、電子機器１００は、上ケース１と下ケース２との間に、スイッチ操作部３、基板４、スライドスイッチ操作部５を有する。
【００１７】
上ケース１は、内部に収容する基板上のスイッチ本体を押下するためのボタン３１を露出させる開口部１０、内部の基板に設けられているＬＥＤから照射される光を透過して電子機器１００の状態を表示する表示部１１〜１３を有する。また、上ケース１は、スライドスイッチを操作するノブ５１のための開口部１４、リセットスイッチを押下するためのリセットスイッチ孔１５、ＬＡＮケーブル挿入口を露出させるための切り欠き部１６を有する。
【００１８】
下ケース２は、コンセント等に挿入されるプラグ２１を有し、電子部品等が実装された基板４が固定され、上ケース１とネジ止め等によって嵌合することで上ケース１との間で基板４を収容する。
【００１９】
プラグ２１は、図２及び図３に示す様に、樹脂製の下ケース２にモールド固定されており、プラグ２１の一端８０，８１は、基板４に設けられている貫通孔７８，７９に挿通されて基板４の表面に突出する。貫通孔７８，７９の近傍には、接点端子７６，７７が実装されており、接点端子７６，７７は、貫通孔７８，７９から突出するプラグ２１の一端８０，８１を挟み込んで弾性的に接触して電気的に接続する。プラグ２１を介して入出力される通信信号は、接点端子７６，７７から基板４上に実装されている通信信号処理回路にて適宜処理され、ＬＡＮケーブルを介して種々の電子機器と通信することができる。
【００２０】
スイッチ操作部３は、上ケース１の開口部１０から外部に露出するボタン３１を有し、上ケース１に例えばネジ７１，７２により固定される。スイッチ操作部３の形状等については後述する。
【００２１】
基板４は、スイッチ操作部３により押下されて作動するスイッチ本体の一例としてのタクティールスイッチ４１、リセットスイッチ４２、スライドスイッチ４３、発光部の一例としてのＬＥＤ４４〜４６を有する。ＬＥＤ４４〜４６が照射する光は、図３に示す導光部材６によって、上ケース１の表示部１１〜１３に導かれる。基板４は、例えばネジ７３，７４，７５により下ケース２に固定される。
【００２２】
スライドスイッチ操作部５は、基板４、上ケース１及び下ケース２によって図中Ｙ軸方向に移動可能に保持される。また、スライドスイッチ操作部５は、上ケース１の開口部１４から外部に露出するノブ５１を有し、ノブ５１が操作されて図中Ｙ方向にスライドすることで、基板４のスライドスイッチ４３を動作させる。
【００２３】
＜スイッチ操作部の構成＞
以下、図面に基づいてスイッチ操作部３について説明する。
【００２４】
図４は、スイッチ操作部３を例示する図であり、図４（ａ）は上方からの斜視図、図４（ｂ）は下方からの斜視図である。また、図５はスイッチ操作部３の上面図であり、図６はスイッチ操作部３の下面図である。
【００２５】
スイッチ操作部３は、ベース部３０、ベース部３０に一端が支持される片持ち梁状の支持部３３、リセットスイッチ押下部３４、遮光部３５〜３７を有する。また、スイッチ操作部３は、ネジ孔３８，３９を有し、ネジ７１，７２が挿入されて上ケース１に固定される。
【００２６】
支持部３３は、ベース部３０に支持されている側とは反対側の端部の上面にボタン３１、下面に柱状のスイッチ押下部３２が一体に形成されている。スイッチ押下部３２は、上ケース１の開口部１０から露出するボタン３１が押下されることで、支持部３３のベース部３０に支持されている端部を中心に回動する様に変位する。
【００２７】
リセットスイッチ押下部３４は、板状の形状を有し、ベース部３０に一端が支持されて他端が図中Ｙ方向に変位可能に設けられている。また、一方の面が上ケース１のリセットスイッチ孔１５を有する内壁面に沿う位置に設けられている。リセットスイッチ押下部３４は、上ケース１のリセットスイッチ孔１５から例えば棒状の物体で押圧された時に、下端部が基板４のリセットスイッチ４２を押下する様に変位する。
【００２８】
遮光部３５〜３７は、図３に示す導光部材６を囲う隔壁により、導光部材６を固定保持すると共にＬＥＤ４４〜４６からの光が各表示部１１〜１３以外に漏れるのを防止する。また、遮光部３５〜３７は、図５及び図６に示す様に、導光部材６を保持する半円筒状の導光部材保持部３５１，３５２，３６１，３６２，３７１，３７２を隔壁にそれぞれ有する。
【００２９】
導光部材保持部３５１，３５２，３６１，３６２，３７１，３７２は、図３に示す様に、導光部材６の鍔部８３に当接し、下ケース２に設けられた遮光板部８５の先端とで鍔部８３を挟み込むことによって導光部材６を保持する。また、導光部材６は、位置決め孔８２が形成されており、下ケース２に設けられている位置決め突起８４に挿入されることで位置決めされる。
【００３０】
この様に、スイッチ操作部３は、ボタン３１、スイッチ押下部３２、支持部３３、リセットスイッチ押下部３４、遮光部３５〜３７が一体に形成され、ボタン３１が押下された時にスイッチ押下部３２が基板４のタクティールスイッチ４１を押下する。
【００３１】
＜スイッチ押下部の形状＞
図７は、電子機器１００のスイッチ押下部３２の中心を通るＸＺ断面図である。
【００３２】
図７に示す様に、スイッチ操作部３のボタン３１が矢印Ｄ１方向に押下されると、スイッチ押下部３２は、支持部３３のベース部３０に支持されている端部を中心として、矢印Ｄ２方向に回動する様に変位し、押下面３２４が基板４のタクティールスイッチ４１を押下する。
【００３３】
図８は、実施形態に係るスイッチ押下部３２の下面図である。矢印Ｄ３は、ボタン３１がＺ方向に平行に押下された時にスイッチ押下部３２がＸＹ面において変位する方向であり、支持部３３の長手方向に対して平行な方向である。
【００３４】
図８に示す様に、スイッチ押下部３２は、ＸＹ断面が十字形のリブ３２１と、リブ３２１のそれぞれの間から周囲に突出する補助リブ３２２とを有する形状である。
【００３５】
また、リブ３２１の各先端部には、突起部３２３が設けられている。突起部３２３は、図７に示す様に、リブ３２１及び補助リブ３２２の下面で形成される押下面３２４からタクティールスイッチ４１の方向に突出する様に設けられている。
【００３６】
スイッチ押下部３２は、ボタン３１が押下されて回動する様に変位するが、突起部３２３がタクティールスイッチ４１に係合することで、押下時にタクティールスイッチ４１から脱落することなく、確実にタクティールスイッチ４１を押下することができる。
【００３７】
また、ボタン３１が垂直方向に押下されず、スイッチ押下部３２が、リブ３２１の間にタクティールスイッチ４１が入り込む様に変位した場合には、補助リブ３２２がタクティールスイッチ４１を押下する。したがって、ボタン３１がどの様な方向に押下された場合であっても、スイッチ押下部３２は基板４上のタクティールスイッチ４１を確実に押下できる。
【００３８】
図８に示すスイッチ押下部３２の突起部３２３の間隔Ｗが、タクティールスイッチ４１より小さい場合には、十字形に設けられる各リブ３２１ａ〜ｄの角度等に関係なく、スイッチ押下部３２がタクティールスイッチ４１から脱落することなく押下することができる。
【００３９】
しかし、スイッチ押下部３２の突起部３２３の間隔Ｗが、タクティールスイッチ４１よりも大きい場合には、押下時にタクティールスイッチ４１がリブ３２１の間に入り込んでスイッチ押下部３２が脱落する場合がある。したがって、この場合には、十字形に設けられる各リブ３２１ａ〜ｄをそれぞれスイッチ押下部３２の変位方向Ｄ３、すなわち支持部３３の長手方向に平行又は直交する方向に設けることが好ましい。図８に示す例では、リブ３２１ａ，３２１ｃを支持部３３の長手方向に直交する方向、リブ３２１ｂ，３２１ｄを支持部３３の長手方向に平行な方向に設けている。この様な構成により、例えばタクティールスイッチ４１が突起部３２３の間隔Ｗより小さい場合であっても、押下時にスイッチ押下部３２の押下面３２４が脱落するのを防止し、より確実にタクティールスイッチ４１を押下することが可能になる。
【００４０】
また、スイッチ押下部３２のＸＹ断面において、補助リブ３２２の周囲に突出する部分の中心からの長さは、突起部３２３の外周を直線で結んだ領域内（図８に示す破線Ｌで囲まれた領域内）に形成することが好ましい。補助リブ３２２を破線Ｌの領域外にまで延ばすと、スイッチ操作部３を成型して金型から抜き取る際に、金型から変形や破損等を招くことなく正常に抜くのが困難になり、歩留まりが低下する可能性がある。しかし、補助リブ３２２を破線Ｌの領域内に設けることで金型からの取り出しが容易になり、歩留まりの低下を招くことなくスイッチ操作部３を製造することが可能になる。
【００４１】
さらに、突起部３２３は、タクティールスイッチ４１側の面が円形であることが好ましい。スイッチ操作部３を金型により成型する際に、金型からの成型部品の取り出しに一般的に用いられる押圧面が円形のイジェクトピンを用いて、突起部３２３を押圧して金型からスイッチ操作部３を取り出すことが可能になる。
【００４２】
以上で説明した本実施形態に係るスイッチ操作部３、タクティールスイッチ４１を有するスイッチによれば、ボタン３１が押下されることにより変位するスイッチ操作部３のスイッチ押下部３２が、脱落等することなく確実に基板４上のタクティールスイッチ４１を押下できる。
【００４３】
なお、スイッチ押下部３２は、ＸＹ断面において、中心から周囲に突出する複数のリブ３２１と、各リブ３２１のそれぞれの間に補助リブ３２２を有する形状であれば良く、３つ又は５つ以上の複数のリブ３２１及び補助リブ３２２を有する形状としても良い。
【００４４】
また、上記した実施形態では、電子機器１００として電力線通信アダプタ装置を例に挙げて説明したが、本発明はこれに限定されるものではなく、他の様々な電子機器への適用等、本発明の範囲内で種々の変形及び改良が可能である。
【符号の説明】
【００４５】
１  上ケース（ケース）
６  導光部材
１１  表示部
１２  表示部
１３  表示部
４  基板
４１  タクティールスイッチ（スイッチ本体）
４４  ＬＥＤ（発光部）
４５  ＬＥＤ（発光部）
４６  ＬＥＤ（発光部）
３２  スイッチ押下部
３３  支持部
３５  遮光部
３６  遮光部
３７  遮光部
３２１  リブ
３２２  補助リブ
３２３  突起部
１００  電子機器
【図１】
2014063646.tif 000003
【図２】
2014063646.tif 000004
【図３】
2014063646.tif 000005
【図４】
2014063646.tif 000006
【図５】
2014063646.tif 000007
【図６】
2014063646.tif 000008
【図７】
2014063646.tif 000009
【図８】
2014063646.tif 000010